(57)【要約】【課題】開口部の開放時に戸体同士の衝突、接触及び擦れ合うことを防止し、開放時に開口部を広くできるとともに、取り付けが容易であり、見栄えの良い緩衝部を有する折れ戸装置を提供する。【解決手段】建物の開口部に設置された枠体と、枠体に折り畳みにより開閉可能に取り付けられた折れ戸とを備え、折れ戸は複数の戸体をヒンジを介して連結されており、戸体は框に戸板が取り付けられて構成され、框の端面に緩衝部を有する框キャップが取り付けられ、開口部の開放時に、緩衝部が隣接する戸体の框が対向する位置に配置される折れ戸装置とする。【選択図】図１
2007297827.tif 000002
【特許請求の範囲】
【請求項１】
建物の開口部に設置された枠体と、
前記枠体に折り畳みにより開閉可能に取り付けられた折れ戸とを備え、
前記折れ戸は複数の戸体をヒンジを介して連結されており、
前記戸体は框に戸板が取り付けられて構成され、
前記框の端面に緩衝部を有する框キャップが取り付けられ、
前記開口部の開放時に、前記緩衝部が隣接する前記戸体の框が対向する位置に配置されることを特徴とする折れ戸装置。
【請求項２】
前記緩衝部が、隣接する前記戸体の框が対向する位置の上端及び下端に配置されることを特徴とする請求項１に記載の折れ戸装置。
【請求項３】
前記緩衝部が、隣接する前記戸体の框が対向する位置において、一方の框にのみ配置されることを特徴とする請求項１または２に記載の折れ戸装置。
【発明の詳細な説明】
【技術分野】
【０００１】
本発明は、框キャップを取り付けた折れ戸装置に関する。
【背景技術】
【０００２】
折れ戸装置とは、複数の戸体がヒンジで連結されて構成された折れ戸により、開口部を開閉する装置である。戸体をヒンジにより交互に方向を変えて折れ戸を折り畳むことにより開口部を開放し、折り畳まれた折れ戸を伸ばすことで開口部を閉鎖する。開口部の開放時（以下、単に「開放時」ということがある。）には、折り畳んだ戸体が開口部に直交して端に寄るため、通常の窓とは異なり開口部を広くとることができる。また、通常のシャッターと異なり、戸体の戸板をガラスなどで構成できるため、外観的に優れており、閉鎖時にも採光可能であり、内部を見ることもできる。そのため、店舗の出入り口や、住宅で窓を大きく開放したい場合などに使用されている。
【０００３】
戸体は、框にガラスなどの戸板をはめ込んで構成される。この框は、アルミニウム合金の押出形材などであり、危険防止、ごみの侵入防止及び美観的な面から端面を覆う框キャップが取り付けられている。また、折れ戸は、開放により戸体が折り重なるため、開放時に隣接する戸体が衝突したり、開放後に隣接する戸体が接触または擦れ合うことで、音が発生したり傷が付いたりする。そのため、隣接する戸体が接触する位置に緩衝部品が取り付けられている。この緩衝部品は、樹脂などの通常使用されている緩衝部材を円柱または円錐状などに形成して適度な厚みを持たせたものであり、ネジ等で戸体表面の隣接する戸体と接触する位置に取り付けることで、戸体同士の直接の接触を防止することが一般的である。
【発明の開示】
【発明が解決しようとする課題】
【０００４】
しかし、この緩衝部品は、戸体とネジ等の頭部の間に緩衝部品を固定するための厚さが必要であり、加えて音の発生防止や緩衝のためにネジの頭部が、覆われたうえで適度に緩衝部材の奥に位置する必要がある。そのため、緩衝部品が厚くなり、折れ戸を開放した時に隣接する戸体の間隔が緩衝部品の厚さだけ広くなる。これにより、折り畳んだ折れ戸の幅が大きくなり、開口部が狭くなるという問題があった。また、緩衝部品の取り付けには、戸体にネジ穴を開け、そこに緩衝部品をネジ止めする作業が必要であり、戸体枚数によっては１基の折れ戸装置でも多くの緩衝部品を取り付ける場合があるため、この作業負担が大きいという問題があった。さらに、緩衝部品が戸体から突出しているため、見栄えが悪いという問題があった。
【０００５】
そこで、本発明は上記問題を解決するため、開放時に開口部を広くできるとともに、取り付けが容易であり、見栄えの良い緩衝部を有する折れ戸装置を提供することを課題とする。
【課題を解決するための手段】
【０００６】
以下、本発明について説明する。なお、本発明の理解を容易にするために添付図面の参照符号を括弧書きにて付記するが、それにより本発明が図示の形態に限定されるものではない。
【０００７】
請求項１の発明によれば、建物の開口部に設置された枠体（２）と、枠体に折り畳みにより開閉可能に取り付けられた折れ戸（３）とを備え、折れ戸は複数の戸体（４、４、…）をヒンジ（５、５、…）を介して連結されており、戸体は框（８）に戸板（９）を取り付けて構成され、框の端面に緩衝部（１０ｂ）を有する框キャップ（１０）が取り付けられ、開口部の開放時に、緩衝部が隣接する戸体の框が対向する位置に配置されることを特徴とする折れ戸装置（１）を提供することにより前記課題を解決する。
【０００８】
請求項２の発明によれば、緩衝部（１０ｂ）が、隣接する戸体（４、４、…）の框（８、８、…）が対向する位置の上端及び下端に配置されることを特徴とする請求項１に記載の折れ戸装置（１）を提供することにより前記課題を解決する。
【０００９】
請求項３の発明によれば、緩衝部（１０ｂ）が、隣接する戸体（４、４、…）の框（８、８、…）が対向する位置において、一方の框にのみ配置されることを特徴とする請求項１または２に記載の折れ戸装置（１）を提供することにより前記課題を解決する。
【発明の効果】
【００１０】
請求項１に記載の発明によれば、框キャップが緩衝部を有するため、この緩衝部を隣接する戸体の框が対向する位置に配置して框キャップを取り付けることで、開放時に隣接する戸体が衝突したり、開放後に隣接する戸体が接触または擦れ合うことで、音が発生したり傷が付いたりすることを防ぐことができる。そのため、独立して緩衝部品をネジなどにより取り付ける必要がなく、従来ネジ等で取り付けていたために必要だった厚さが不要となり、その分の緩衝部の厚さを薄くすることができる。これにより隣接する戸体の間隔が狭くなり、開放した時に開口部を広くすることができる。また、緩衝部の取り付けが框キャップを取り付けることと兼ねられるため、作業負担を軽減することができ、独立して緩衝部材を使用しないことで部品も削減できるため、生産費を低減することができる。さらに、緩衝部は框の端部に配置され、厚さも薄く大きさも小さくすることができるため、見栄えが向上し、そのため建物の外観を損なわずに使用することができる。
【００１１】
請求項２に記載の発明によれば、戸板の大きさなどにより一箇所に緩衝部を配置することでは他の箇所において戸板が接触するような場合であっても、緩衝部が戸体の框が対向する位置の上端及び下端に配置されることで戸体の接触を確実に防止することができる。そのため、上述した請求項１の発明における効果を確実に得つつ、緩衝部の機能を向上させることができる。
【００１２】
請求項３に記載の発明によれば、一方の框にのみ緩衝部を配置することにより、両方の框に緩衝部を配置するときに比べ、開放時の戸板の間隔が狭くなり、開放時の折れ戸の幅を小さくすることができる。これにより、請求項１または２に記載の発明の効果を得つつ、さらに開放時に開口部を広くすることができる。
【００１３】
本発明のこのような作用及び利得は、次に説明する発明を実施するための最良の形態から明らかにされる。
【発明を実施するための最良の形態】
【００１４】
以下、図面に示す実施形態に基づき、本発明による折れ戸装置の一例として、折れ戸が４枚の戸体からなる片開きの折れ戸装置の場合を説明するが、以下に説明するものは本発明の実施形態の一例であって、本発明はその要旨を超えない限り以下の説明になんら限定されるものではない。
【００１５】
図１は、１つの実施形態にかかる本発明の折れ戸装置１を模式的に示した正面図である。折れ戸装置１が設置される建物の開口部に、少なくとも上枠２ａ及び縦枠２ｂ、２ｂから構成される枠体２が取り付けられる。枠体２には、折れ戸３が備えられる。折れ戸３は、４枚の戸体４、４、…がヒンジ５を介して結合され、開口部を移動する端面（以下、戸先という。）には戸先部材６が、縦枠２ｂに固定される端面（以下、吊元という。）には、吊元部材７がそれぞれヒンジ（図示省略）を介して取り付けられている。ここでは、左側が吊元側、右側が戸先側であり、折れ戸３は吊元側への片開きとなっている。戸体４は、上框８ａ、縦框８ｂ、８ｂ及び下框８ｃからなる框８にガラスなどの戸板９がはめ込まれている。なお、図１においては、１枚の戸体４にのみ戸体各部８〜９の符号を付し、他の戸体４、４、…については符号を省略する。縦框８ｂ、８ｂの端面には、開放時に隣接する戸体４、４、…の縦框８ｂ、８ｂが対向する位置に緩衝部１０ｂを配置して、緩衝部１０ｂを有する框キャップ（図示省略）が取り付けられている。
【００１６】
かかる構成により、開放時には戸先部材６に備えられた取っ手（図示省略）を用い、吊元側へ力を加える。これにより、戸体４、４、…が吊元側へ押されて吊元側の戸体４、４、…から順に、両端に備えたヒンジにより開口部と直交する方向へ向きを変える。これにより、折れ戸３は吊元側へ寄せられて折り畳まれるため、開口部は開放される。この開放時には、緩衝部１０ｂ、１０ｂ、…が接触することで、隣接する戸体４、４、…は接触しない。これにより、開放時に隣接する戸体４、４、…が衝突したり、開放後に隣接する戸体が接触または擦れ合うことで、音が発生したり傷が付いたりすることを防止することができる。
【００１７】
開口部の閉鎖時には、戸先部材６に備えられた取っ手を用い、開口部側へ力を加える。これにより、戸体４、４、…が開口部側へ引かれて、戸先側の戸体４、４、…から順に、両端に備えたヒンジにより開口部に平行となるように向きを変えることで折れ戸は伸ばされ、開口部は閉鎖される。なお、図１では、緩衝部１０ｂは、開放時に隣接する戸体において、対向する両方の框の上端及び下端に配置されているが、緩衝部１０ｂは、対向する一方の框のみに配置されても良く、さらに上端または下端の一方にのみ配置されても良い。
【００１８】
図２及び図３は、折れ戸装置１の横断面図である。図２は閉鎖状態を、図３は開放状態を示している。戸先部材６側から順に、第一の戸体４Ａ、第一のヒンジ５Ａ、第二の戸体４Ｂ、第二のヒンジ５Ｂ、…とすると（以下同じ）、折れ戸３は、４枚の戸体４Ａ〜４Ｄがヒンジ５Ａ〜５Ｃを介して結合されて構成されている。戸体４Ａ〜４Ｄは、それぞれ框８（図１参照）に戸板９がはめ込まれて構成されている。図２及び図３では、横断面のため上框８ａ及び縦框８ｂが図示されている。なお、図２及び図３においては、１枚の戸体４Ｄにのみ各部８ａ、８ｂ、９の符号を付し、他の戸体４Ａ〜４Ｃについては符号を省略する。縦框８ｂ、８ｂの端面には、開放時に隣接する戸体４、４、…の縦框８ｂ、８ｂが対向する位置に緩衝部１０ｂを配置して、緩衝部１０ｂを有する框キャップ（図示省略）が取り付けられている。ヒンジ５Ａ〜５Ｃは、それぞれヒンジ本体部の両端に支軸部が全長にわたって一体形成され、この支軸部の外面と、縦框８ｂの端面全長に形成された断面Ｃ字状の支軸受部の内面とが回転可能に嵌合して構成されている。折れ戸３の吊元では、戸体４Ｄの吊元側の端面はヒンジ１１を介して吊元部材７に取り付けられ、吊元部材７は上枠２ａに沿って移動可能な状態で縦枠２ｂに取り付けられている。折れ戸３の戸先では、戸体４Ａの戸先側の端面はヒンジ１２を介して戸先部材６に取り付けられ、戸先部材６は上枠２ａに沿って移動し、開口部の閉鎖時に戸先側の縦枠２ｂと接合する。ヒンジ１１は、支軸部が吊元部材７の戸先側の端面全長に一体形成され、この支軸部の外面と、縦框８ｂの端面全長に形成された断面Ｃ字状の支軸受部の内面とが回転可能に嵌合して構成されている。同様に、ヒンジ１２は、支軸部が戸先部材６の吊元側の端面全長に一体形成され、この支軸部の外面と、縦框８ｂの端面全長に形成された断面Ｃ字状の支軸受部の内面とが回転可能に嵌合して構成されている。また、開口部の開閉時に上枠２ａに沿って移動するヒンジ５Ｂ、戸先部材６及び吊元部材７には、後述するように上端に吊車１３が取り付けられ、下端には下部レール（図示省略）に取り付けられる下部ガイド部材（図示省略）が取り付けられている。
【００１９】
かかる構成により、開口部を図２の閉鎖状態から図３の開放状態にする場合の動作について説明する。上枠２ａ及び上框８ａの所定の位置には、開放時にヒンジ５Ａ、５Ｃを枠体２（図１参照）の外へ押す部品（図示省略。以下「けりだし部品」という。）が複数取り付けられている。戸先部材６に備えられた取っ手を用い、吊元側への力を加えると、折れ戸３は伸ばされた状態のまま吊元部材７が吊元側の縦枠２ｂの内部へ当たる位置まで移動する。この移動により、上框８ａに取り付けられた第一のけりだし部品が、上枠２ａの第一のけりだし部品が取り付けられた位置に到達すると、ヒンジ５Ｃは枠体２の外へ押され、さらに力を受けることで戸体４Ｃ及び戸体４Ｄは両端に備えたヒンジ５Ｂ、５Ｃ、１１によりヒンジ５Ｃを外に押し出して、開口部と直交する方向へ折り畳まれる。これにより、ヒンジ５Ａ、５Ｂ、戸体４Ａ、４Ｂは、伸びた状態のまま吊元側へ移動する。移動により、上框８ａに取り付けられた第二のけりだし部品が、上枠２ａの第二のけりだし部品が取り付けられた位置に到達すると、ヒンジ５Ａが枠体２（図１参照）の外へ押され、さらに力を受けることで戸体４Ａ、４Ｂが両端に備えたヒンジ５Ａ、５Ｂ、１２によりヒンジ５Ａを外に押し出して、開口部と直交する方向へ折り畳まれる。これにより、すべての戸体４Ａ〜４Ｄが折り畳まれ、開口部の開放が完了する。この開放時には、緩衝部１０ｂ、１０ｂ、…が接触することにより、隣接する戸体４Ａ〜４Ｄは接触しない。これにより、開放時に隣接する戸体４Ａ〜４Ｄが衝突したり、開放後に隣接する戸体４Ａ〜４Ｄが接触または擦れ合うことで、音が発生したり傷が付いたりすることを防止することができる。
【００２０】
一方、開口部を図３の開放状態から図２の閉鎖状態にする場合は、戸先部材６に備えられた取っ手を用い、開口部側への力を加えると、戸体４Ａの戸先部材６に接合された端面が戸先側へ引かれることで、ヒンジ５Ａが上枠２ａ側へ移動し、戸体４Ａ、４Ｂが開口部と平行となるように向きを変えることで、戸先部材６は開口部側に移動する。この時、ヒンジ５Ｂ、吊元部材７には、戸先側からの力に対して抵抗力を発生する部品（以下「抵抗部品」という。）が作用することにより、折れ戸３のヒンジ５Ｂから吊元側は戸先側に移動しない。戸体４Ａ、４Ｂが伸び、さらに戸先部材６に戸先側への力を加えると、この力がヒンジ５Ｂに加わり、抵抗部品の抵抗力を超えることでヒンジ５Ｂが戸先方向へ移動する。これにより、ヒンジ５Ｂに接合された戸体４Ｃの端面が戸先側へ引かれることで、ヒンジ５Ｃが上枠２ａ側へ移動し、戸体４Ｃ、４Ｄが開口部と平行となるように向きを変えることで、戸先部材６は開口部側に移動する。この時、吊元部材７は、戸先側からの力に対して抵抗部品が作用することにより移動しない。戸体４Ｃ、４Ｄが伸び、さらに戸先部材６に戸先側への力を加えると、この力が吊元部材７に加わり、抵抗部品の抵抗力を超えることで吊元部材７が戸先方向へ移動し、戸先部材６が戸先側の縦枠２ｂと接合して開口部の閉鎖が完了する。なお、図２及び図３では、緩衝部１０ｂは、開放時に隣接する戸体において、対向する両方の框に配置されているが、緩衝部１０ｂは、対向する一方の框のみに配置されても良い。
【００２１】
図４は、折れ戸装置１の縦断面図である。上枠２ａは、下部が開放された中空に形成されており、この中空内部には上部レール１５が両側面に設けられている。縦框８ｂの上端及び下端には、開放時に隣接する戸体４の縦框８ｂが対向する位置に緩衝部１０ｂ、１０ｂを配置して、緩衝部１０ｂを有する框キャップ１０、１０が取り付けられている。折れ戸３の戸先部材６、ヒンジ５Ｂ、吊元部材７（図２参照）の上端には水平ガイドローラ１６を介して吊車１３が取り付けられ、上部レール１５に吊車１３が乗せられることで、折れ戸３は吊持されている。床面には、中空に形成され上部が開放された下部レール１４が、上部レール１５と対向する位置に設置されている。吊車１３が取り付けられている位置に対応して、折れ戸３の下端には下部ガイド部材１７が取り付けられている。下部レール１４の中空部にこの下部ガイド部材１７がはめ込まれている。なお、下部レール１４は、縦枠２ｂ、２ｂの下端部間に下枠として備えられてもよい。かかる構成により、吊車１３が上部レール１５を移動し、下部ガイド部材１７が下部レール１４を移動することで、上述したように折れ戸３が枠体２（図１参照）内を移動するため、これにより折れ戸装置１は開口部を開閉可能となっている。なお、図４では、緩衝部１０ｂは、開放時に隣接する戸体において、対向する縦框８ｂの上端及び下端に配置されているが、緩衝部１０ｂは、対向する縦框８ｂの上端または下端の一方にのみ配置されても良い。
【００２２】
図５には、緩衝部１０ｂを有する框キャップ１０が示されている。図５（ａ）は框キャップ１０の斜視図、図５（ｂ）は正面図、図５（ｃ）は側面図、図５（ｄ）は底面図である。以下、図５（ｂ）、図５（ｃ）及び図５（ｄ）において、紙面の左右方向を幅、上下方向を高さ、垂直方向を厚さとして説明する。図５（ａ）のとおり、框キャップ１０は、挿入部１０ａ、緩衝部１０ｂ及び底部１０ｃを備えている。挿入部１０ａは、框８（図１参照）の端面に挿入される部分である。緩衝部１０ｂは、開放時に隣接する戸体４、４、…（図１参照）の框８が対向する位置に配置され、隣接する戸体４、４、…の接触を防止する部分である。底部１０ｃは、挿入部１０ａ及び緩衝部１０ｂを結合し、框８の端面を覆う部分である。
【００２３】
図５（ｂ）に示すとおり、緩衝部１０ｂは略長方形であり、接触面には面取りが施されている。この略長方形の面積及び厚さは、緩衝部１０ｂが隣接する戸体４、４、…の衝突時に十分な緩衝が可能な大きさとされる。緩衝部１０ｂの幅は、緩衝部１０ｂを配置する框８（図１参照）の幅から決まるため、高さ及び厚さにより緩衝部１０ｂの十分な緩衝能力が確保される。この高さ及び厚さは、使用する緩和材の性能などにより異なる。また、面取りは、緩衝部１０ｂが戸体４、４、…（図１参照）の表面から出っ張るため、緩衝部１０ｂに物をぶつけたり、引っ掛けたりした時に框キャップ１０が外れないように力を逃がす役割をしている。
【００２４】
図５（ｃ）に示すとおり、挿入部１０ａは略Ｕ字形である。この略Ｕ字部が框の端面に挿入され、縦框８ｂと上框８ａまたは下框８ｃとを固定するネジがこの略Ｕ字部の内部を通り、框８（図１参照）と一緒に框キャップが固定されるため、挿入部１０ａの高さはこのネジの位置に合わせて決定される。また、挿入部１０ａの幅及び厚さは、挿入される框８の内辺の長さ未満となるように設定される。
【００２５】
図５（ｄ）に示すとおり、底部１０ｃは、取り付ける框８（図１参照）の端面を覆うように、端面の大きさに合わせた幅及び高さを有し、この幅及び高さを各辺とした中空の長方形の平面を形成する。底面には溝１０ｄが設けられ、後述するように溝１０ｄにひれが取り付けられる場合がある。厚さは、通常の框キャップ程度で良い。底部１０ｃの平面は、挿入部１０ａと逆Ｕ字方向で結合している。緩衝部１０ｂは、底部１０ｃの側面と結合され、挿入部１０ａとの間には空間を有している。なお、挿入部１０ａを一体形成するうえにおいて、底部１０ｃの平面を中空とすることで、金型を安くすることが可能である。
【００２６】
かかる構成により、挿入部１０ａを、上框８ａ、縦框８ｂまたは下框８ｃ（図１参照）の端面に挿入することで、框キャップ１０が取り付けられる。この時、緩衝部１０ｂは、開放時に隣接する戸体４、４、…（図１参照）の框８が対向する位置に配置される。緩衝部１０ｂは、挿入部１０ａとの間に框８の一面を挿入することで框８の表面に配置される。これにより、開放時には緩衝部１０ｂ、１０ｂ、…が接触することで、隣接する戸体４、４、…は接触しないため、開放時に隣接する戸体４、４、…が衝突したり、開放後に隣接する戸体が接触または擦れ合うことで、音が発生したり傷が付いたりすることを防止することができる。なお、框キャップ１０の材質としては、一般に緩衝材として使用されるものであれば良いが、製造面からＡＢＳ樹脂、ＡＥＳ樹脂、ナイロン、ゴムなどが好ましい。また、挿入部１０ａ、緩衝部１０ｂ及び底部１０ｃの框キャップ１０の各部は、一体成形であっても、別々に製造されて組み合わされても良い。別々に製造されるときは、緩衝部１０ｂのみ緩衝材を使用しても良い。上記実施形態では、緩衝部１０ｂを含めた框キャップ１０は緩衝材により製造されているが、緩衝部１０ｂとしては他に板ばね、コイルばねなどの弾性体を使用したり、磁石の反発を利用したりする方法が考えられる。
【００２７】
図６は、縦框８ｂの端面に框キャップ１０を取り付けた状況を示す図である。図６では、図６（ａ）は框キャップ１０を取り付けた縦框８ｂの端面側の平面図であり、図６（ｂ）は図６（ａ）の縦断面図である。框キャップ１０の挿入部１０ａが縦框８ｂの端面に挿入され、略Ｕ字部の内面に縦框８ｂと上框８ａまたは下框８ｃ（図１参照）を固定するネジが通されて、框キャップ１０は固定される。この時、緩衝部１０ｂは、開放時に隣接する戸体４の框８と対向する位置に配置される。底部１０ｃは、縦框８ｂの端面を覆っている。かかる構成により、開放時には緩衝部１０ｂで接触することにより、隣接する戸体４は接触しない。したがって、框キャップ１０は、従来の框キャップとしての機能である框８（図１参照）の内部へのごみなどの侵入や、端面への接触による事故を防止することに加え、従来の緩衝部品の機能である開放時に隣接する戸体が衝突したり、開放後に隣接する戸体が接触または擦れ合うことで、音が発生したり傷が付いたりすることを防止することができる。また、独立して緩衝部を取り付ける必要がないため、従来ネジ止めのために必要であった緩衝部品の厚さを、緩衝部では薄くすることができる。これにより、開放時に折り畳んだ戸体の間隔が狭くなり、開口部を広くすることができる。また、緩衝部１０ｂの取り付けが框キャップ１０を取り付けることと兼ねられるため、作業負担を軽減することができ、独立して緩衝部品を使用しないことで部品も削減できるため、生産費を低減することができる。さらに、框キャップ１０が緩衝部１０ｂを有することで、緩衝部１０ｂは戸体４の端部に配置され、厚さも薄くすることができるため、見栄えが向上し、そのためサッシ全体更には建物の外観を損なわずに使用することができる。
【００２８】
図７（ａ）は框キャップ１０の底部１０ｃにひれ２１を備えた框キャップ２０を、図７（ｂ）は框キャップ２０の取り付け状況を示す図である。なお、図６と同じ構成を採るものについては、図６にて使用した符号を付し、その説明を省略する。図７（ａ）では、框キャップ２０の底部１０ｃに設けられた２本の溝１０ｄ、１０ｄにひれ２１、２１が１枚ずつ計２枚取り付けられたものである。ひれ２１、２１は、嵌合または接合などにより溝１０ｄに取り付けられる。材質は任意で良いが、框キャップ２０から突出して取り付けられるため、破損防止からゴム、モヘヤ、塩化ビニルなどの柔らかい物質であることが好ましい。
【００２９】
図７（ｂ）は、ひれ２１を備えた框キャップ２０の取り付け状況を示す図である。図７（ｂ）では、框キャップ２０は、上述した框キャップ１０と同様に、縦框８ｂの下端に挿入部１０ａを挿入して取り付けられ、框８の固定と合わせて挿入部１０ａがネジで固定されている。この時、ひれ２１、２１は、下部レール１４の開放部を間に挟んで、下部レール１４と適度な隙間を有して平行に配置される。
【００３０】
かかる構成により、框キャップ２０は、框キャップの緩衝部１０ｂで開放時に隣接する戸体４、４の接触を防止するとともに、ひれ２１が折れ戸３と下部レール１４の間の隙間を塞ぐ。これにより、上述した框キャップ１０の効果に加え、ごみなどの侵入を防止し、外観を良くするという効果を得ることができる。なお、ひれ２１は必ず框キャップに備えられる必要はなく、必要に応じて備えられれば良い。ただし、ひれ２１を備えた框キャップ２０を使用する時は、框８にも同様の位置にひれが備えられることが、ひれによる効果を得るためには好ましい。上記実施形態では縦框８ｂの下端に框キャップ２０を取り付けたが、取り付け場所はこれに限定されず、他の端面であっても隙間を塞ぐ必要がある場合には、取り付け可能である。
【００３１】
上記実施形態では、図１のとおり框８が左右の縦框８ｂ、８ｂ間に上框８ａと下框８ｃを接合する縦通し接合構造のため、縦框８ｂの端面が戸体４の端面に現れることから、框キャップ１０を縦框８ｂの端面に取り付けた場合について説明したが、緩衝部１０ｂが開放時に隣接する戸体４、４、…の框８が対向する位置に配置されれば、框キャップの取り付けは縦框８ｂの端面に限定されない。例えば、上框８ａと下框８ｃの間に左右の縦框８ｂ、８ｂ間を接合する横通し接合構造のときは、上框８ａ及び下框８ｃの端面が戸体４の端面に現れることから、框キャップ１０を上框８ａまたは下框８ｃの端面に取り付けても良い。また、上記実施形態では、框キャップ１０に緩衝部１０ｂを備えたが、緩衝部を備えた他の部品を用い、開放時に隣接する戸体４、４、…が接触する位置に緩衝部を配置することにより、戸体４、４、…同士の接触を防止することも考えられる。またさらに、緩衝部を備えた他の部品を用い、緩衝部を戸体４、４、…が接触する位置でなく、戸体４、４、…が接触しないように戸体４、４、…同士の接近を防止する位置に配置して、戸体の接触を防止することも考えられる。
【００３２】
以上、現時点において、もっとも、実践的であり、かつ、好ましいと思われる実施形態に関連して本発明を説明したが、本発明は、本願明細書中に開示された実施形態に限定されるものではなく、請求の範囲および明細書全体から読み取れる発明の要旨或いは思想に反しない範囲で適宜変更可能であり、そのような変更を伴う折れ戸装置もまた本発明の技術的範囲に包含されるものとして理解されなければならない。
【図面の簡単な説明】
【００３３】
【図１】折れ戸装置の正面図である。
【図２】開口部の閉鎖時における折れ戸装置の横断面図である。
【図３】開放時における折れ戸装置の横断面図である。
【図４】折れ戸装置の縦断面図である。
【図５】框キャップの構成図である。
【図６】框キャップの取り付け状況を示す図である。
【図７】ひれを有する框キャップの構成及び取り付け状況を示す図である。
【符号の説明】
【００３４】
１  折れ戸装置
２  枠体
３  折れ戸
４  戸体
１０  框キャップ
１０ｂ  緩衝部
【図１】
2007297827.tif 000003
【図２】
2007297827.tif 000004
【図３】
2007297827.tif 000005
【図４】
2007297827.tif 000006
【図５】
2007297827.tif 000007
【図６】
2007297827.tif 000008
【図７】
2007297827.tif 000009